(57)【要約】【課題】  設置や移動を容易に行うことができ、かつ、確保できる水に制約があっても、稼動することのできるコインランドリーを提供すること。【解決手段】  コインランドリー１は、下面にタイヤ２１を備えたトレーラ２と、このトレーラ２の上面に構築されたハウジング５とを有しており、トレーラ２は、下方からジャッキ４で支持されている。ハウジング５内には、乾燥洗濯機や乾燥機などの洗濯用設備が配置されている。また、ハウジング５内には、乾燥洗濯機に供給する水を貯留しておく貯水タンク７７１や貯水タンク７７１内の水でオゾン水とする水処理装置も配置されている。【選択図】    図２
2006240342.tif 000002
【特許請求の範囲】
【請求項１】
下面にタイヤを備えたトレーラと、該トレーラ上を覆うハウジング内に設置された洗濯用設備とを有することを特徴とするコインランドリー。
【請求項２】
請求項１において、前記トレーラを下方から支持する複数台のジャッキを有することを特徴とするコインランドリー。
【請求項３】
請求項２において、前記ジャッキと前記トレーラとの間には防振材が配置されていることを特徴とするコインランドリー。
【請求項４】
請求項１ないし３のいずれかにおいて、前記洗濯用設備には、少なくとも、複数台の洗濯機と、当該複数台の洗濯機に対する給水設備とが含まれ、
前記給水設備は、前記複数台の洗濯機に供給する水を貯留しておく貯水タンクを備えていることを特徴とするコインランドリー。
【請求項５】
請求項４において、前記給水設備は、前記貯水タンクに貯留される水、前記貯水タンク内の水、および前記貯水タンクから前記洗濯機に供給される水の少なくとも１つを処理するための水処理装置を備えていることを特徴とするコインランドリー。
【請求項６】
請求項５において、前記水処理装置は、オゾン発生装置を備えていることを特徴とするコインランドリー。
【請求項７】
請求項１ないし６のいずれかにおいて、前記洗濯用設備の少なくとも一部は、前記ハウジングの側壁に沿って配置され、当該側壁には、開閉可能な遮断扉が構成されていることを特徴とするコインランドリー。
【発明の詳細な説明】
【技術分野】
【０００１】
本発明は、ハウジング内に洗濯用設備を備えたコインランドリーに関するものである。
【背景技術】
【０００２】
コインランドリーは、ハウジング内に、コイン投入口やプリペイドカード投入口を備えた洗濯機、乾燥機、乾燥洗濯機、給水設備などの洗濯用設備を有している。このようなコインランドリーを構成するにあたって、例えば、小型のハウジングの床部を、アスファルト面などの上にコンクリート製の台座を介して設置したものが提案されている。
【特許文献１】特開２００４−１１６０７３号公報
【発明の開示】
【発明が解決しようとする課題】
【０００３】
しかしながら、特許文献１に記載のコインランドリーは、台座を介してハウジングを固定しなければならないため、それを設置するには多大な手間とかなりの熟練を要する。また、一旦、設置すると、撤去するのも容易ではない。従って、コインランドリーの設置場所を変更するのが困難であり、また、地震などの被災地にコインランドリーを一時的に設置するのも容易ではない。
【０００４】
また、従来のコインラドリーは、折角、地震の被災地に設置しても、水の安定的な確保ができない場合や水質が悪い場合には使えないという問題点もある。
【０００５】
以上の問題点に鑑みて、本発明の課題は、設置や移動を容易に行うことのできるコインランドリーを提供することにある。
【０００６】
また、本発明の課題は、確保できる水に制約があっても稼動することのできるコインランドリーを提供することにある。
【課題を解決するための手段】
【０００７】
上記課題を解決するために、本発明のコインランドリーは、下面にタイヤを備えたトレーラと、該トレーラ上を覆うハウジング内に設置された洗濯用設備とを有することを特徴とする。
【０００８】
本発明では、トレーラを利用してコインランドリーを構成しているので、設置する際、多大な手間も熟練をも要しない。また、設置した後の撤去や移動も容易である。さらに、特別な基礎工事を行わなくても、トレーラの下方には、少なくともタイヤによって床下に隙間が確保されるので、夏場および冬場の双方において、ハウジング内の温度を快適に保つことができる。
【０００９】
本発明において、前記トレーラを下方から支持する複数台のジャッキを有することが好ましい。トレーラを下方から支持するのにジャッキを用いるのであれば、基礎工事を行わなくても床面を補強でき、かつ、移転後、設置箇所の現状復帰するのも容易である。また、ジャッキであれば、熟練者でなくても取り扱うことができる。さらに、複数のジャッキによってトレーラを支持した場合、どのような場所にコインランドリーを設置する場合でも床面を水平に構成できる。
【００１０】
本発明において、前記ジャッキと前記トレーラとの間には防振材が配置されていることが好ましい。このように構成すると、洗濯機などの振動によって床面が振動することがない。
【００１１】
本発明において、前記洗濯用設備には、少なくとも、複数台の洗濯機と、当該複数台の洗濯機に対する給水設備とが含まれ、前記給水設備は、前記複数台の洗濯機に供給する水を貯留しておく貯水タンクを備えていることが好ましい。このように構成した場合、水量を安定して確保できない場合でも、貯水タンクに貯留した水で稼動することができる。
【００１２】
本発明において、前記給水設備は、前記貯水タンクに貯留される水、前記貯水タンク内の水、および前記貯水タンクから前記洗濯機に供給される水の少なくとも１つを処理するための水処理装置を備えていることが好ましい。このように構成すると、水道水や清浄な井戸水などを確保できない場合でも稼動することができる。
【００１３】
このような水処理装置としては、例えば、オゾン発生装置を用いればよい。
【００１４】
本発明において、前記洗濯用設備の少なくとも一部は、前記ハウジングの側壁に沿って配置され、当該側壁には、開閉可能な遮断扉が構成されていることが好ましい。このように構成すると、ハウジング内への洗濯用設備の搬入、ハウジング内からの洗濯用設備の搬出、洗濯用設備のメンテンナンスなどを容易に行うことができる。
【発明の効果】
【００１５】
本発明では、トレーラを利用してコインランドリーを構成するので、設置する際、多大な手間も、熟練をも要しない。また、設置した後の撤去や移動も容易である。さらに、特別な基礎工事を行わなくても、トレーラの下方には、少なくともタイヤによって床下に隙間が確保されるので、夏場および冬場の双方において、ハウジング内の温度を快適に保つことができる。
【発明を実施するための最良の形態】
【００１６】
図１は、本発明を適用したコインランドリーの外観図である。図２（Ａ）〜（Ｄ）は、図１に示すコインランドリーから周りの通路などを外した状態の正面図、背面図、右側面図、および左側面図である。図３は、図１に示すコインランドリーのハウジング内に設置された洗濯用設備のレイアウトを示す平面図である。図４は、図１に示すコインランドリーにおいてトレーラを下方から支持する構造の説明図である。
【００１７】
図１および図２（Ａ）〜（Ｄ）に示すコインランドリー１は、トレーラ２と、このトレーラ２の上面に構築されたハウジング５とを有しており、ハウジング５内には、後述する洗濯用設備が設置されている。ハウジング５の周りにおいて、その正面には、階段３１を備えたデッキテラス３２が構成され、背面には、階段３４を備えた管理通路３５が構成されている。
【００１８】
トレーラ２は、下面に計６本のタイヤ２１を備えており、かつ、右端部分には、トレーラ２を搬送する際、トレーラ２と車両（図示せず）とを連結するための連結部２２が構成されている。
【００１９】
本形態において、トレーラ２は、コインランドリー１として稼動する際、下面が複数のジャッキ４によって下方から支持され、トレーラ２にて移動する際、ジャッキ４は外されることになる。
【００２０】
ハウジング５は、正面のやや左側寄りの位置に出入り口５１が構成されているとともに、正面、右側面および左側面に複数の窓５２が構成されている。
【００２１】
ハウジング５の４つの側壁のうち、背面壁は３つの開閉扉５６、５７、５８から構成されている。本形態において、３つの開閉扉５６、５７、５８には、シャッタの巻き上げ機が軒下に固定された巻上げ式のシャッタ装置（開閉可能な遮断壁）が用いられている。
【００２２】
図３に示すように、ハウジング５の内部には、耐水性の床面５５を備えている。また、ハウジング５の内部において、出入り口の右側には、その正面壁に沿ってベンチ８１や作業台８２が配置されている。さらに、ハウジング５の内部には、以下の洗濯用設備７が配置されている。
【００２３】
洗濯用設備７としては、まず、出入り口５１の左側に、その正面壁に沿ってコイン式のスニーカー用洗濯機７１および流し台７２が配置されている。また、ハウジング５の内部において、背面側は、２つの仕切り壁９１、９２によって３つの領域９６、９７、９８に仕切られており、そのうち、中央の領域９７には、背面に沿ってコイン式の水洗機７３および２台の乾燥洗濯機７４が配置され、右側の領域９８には、背面に沿ってコイン式の７台の乾燥機７５が配置されている。さらに、洗濯用設備７としては、左側の領域９６に、背面に沿って、水洗機７３、乾燥洗濯機７４、乾燥機７５などに対する分電盤７６と、水洗機７３や乾燥洗濯機７４など水を供給するための給水設備７７とが配置されている。なお、給水設備７７の前面には両替機３１や洗剤の自動販売機３２が配置されている。
【００２４】
本形態において、給水設備７７は、通常の配管などの他、貯水タンク７７１と、貯水タンク７７１内に供給される水、貯水タンク７７１内の水、あるいは貯水タンク７７１から乾燥洗濯機７４などに供給される水を処理するための水処理装置７７２を備えている。本形態では、水処理装置７７２としては、貯水タンク７７１内の水をオゾン水とするためのオゾン発生装置が用いられている。
【００２５】
本形態においては、図４に示すように、トレーラ２を複数のジャッキ４によって下方から支持するにあたって、垂直荷重に対して４０００ｋｇ以上の耐久性を備えたジャッキ４が用いられおり、このジャッキ４の出力軸４１に固定された断面コの字形状の金属板４２と、トレーラ２のフレーム２５との間には、防振材としての防振ゴム６が挟まれている。なお、ジャッキ４の金属板４２とトレーラ２のフレーム２５とは、脱落を防止するための補強板４３およびボルト４４によって補強されている。床面は、トレーラ２のサブフレーム２６の上に、鉄板５５１、構造用合板５５２、耐水性の床材５５３が積層された構造になっており、これらの板材は、トレーラ２のフレーム２５に対して、ボルト２８により固定されている。このように本形態では、床面を構成するのに鉄板５５１を敷いたため、十分な強度を確保できる。
【００２６】
（本形態の主な効果）
以上説明したように、本形態では、トレーラ２を利用してコインランドリー１を構成しているため、設置する際、基礎工事が不要なので、多大な手間も熟練をも要しない。また、設置した後も、ジャッキ４を外せば車両で牽引できるので、撤去や移動も容易である。また、特別な基礎工事を行わなくても、トレーラ２の下方には、タイヤ２１およびジャッキ４によって床下に隙間が確保されるので、夏場および冬場の双方において、ハウジング５内の温度を快適に保つことができる。さらに、トレーラ２であれば、コインランドリー１を閉鎖した場合には、他の用途に再利用できる。
【００２７】
また、トレーラ２を下方から支持するのにジャッキ４を用いているので、基礎工事を行わなくても床面５５を補強でき、かつ、移転後、現状復帰するのも容易である。また、ジャッキ４であれば、熟練者でなくても取り扱うことができる。さらに、複数のジャッキ４によってトレーラ２を支持した場合、どのような場所にコインランドリー１を設置する場合でも床面５５を水平に構成できる。
【００２８】
しかも、ジャッキ４とトレーラ２との間には防振ゴム６（防振材）が配置されているため、乾燥洗濯機７４などの振動によって床面５５が振動することがない。
【００２９】
さらに、給水設備７には乾燥洗濯機７４などに供給する水を貯留しておく貯水タンク７７１が用いられているため、水量を安定して確保できない場合でも、貯水タンク７７１に貯留した水で稼動することができる。しかも、給水設備７７は、水処理装置７７２（オゾン発生装置）を備えているため、水道水や清浄な井戸水などを確保できない場合でも、稼動することができる。それ故、本形態のコインランドリー１は、地震などの被災地でも使用できる。
【００３０】
また、洗濯用設備７の一部（水洗機７３、乾燥洗濯機７４、乾燥機７５や給水設備７７）は、ハウジング５の背面側の壁面に沿って配置され、かつ、背面側の壁面には、開閉可能な遮断扉５６、５７、５８、５９が構成されている。このため、ハウジング５内への洗濯用設備７の搬入、ハウジング５内からの洗濯用設備７の搬出、洗濯用設備７のメンテンナンスなどを容易に行うことができる。
【００３１】
なお、コインランドリー１からの排水については、下水に流してもよいし、設置箇所の状況によっては、水処理設備を通してから排出してもよいし、排水タンクに回収してもよい。
【図面の簡単な説明】
【００３２】
【図１】本発明を適用したコインランドリーの外観図である。
【図２】（Ａ）〜（Ｄ）は、図１に示すコインランドリーから周りの通路などを外した状態の正面図、背面図、右側面図、および左側面図である。
【図３】図１に示すコインランドリーのハウジング内に設置された洗濯用設備のレイアウトを示す平面図である。
【図４】図１に示すコインランドリーにおいてトレーラを下方から支持する構造の説明図である。
【符号の説明】
【００３３】
１  コインランドリー
２  トレーラ
４  ジャッキ
５  ハウジング
６  防振ゴム
７  洗濯用設備
２１  タイヤ
２２  連結部
７３  水洗機
７４  乾燥洗濯機
７５  乾燥機
７７  給水設備
７７１  給水貯水タンク
７７２  水処理装置（オゾン発生装置）
【図１】
2006240342.tif 000003
【図２】
2006240342.tif 000004
【図３】
2006240342.tif 000005
【図４】
2006240342.tif 000006